【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
ハンドジェスチャに基づいてデバイスを制御するためのシステムであって、前記システムは、
カメラと、
ユーザの身体の一部分のトポグラフィを検出し、圧力データを処理モジュールに提供するように構成されている感圧センサであって、
前記処理モジュールは、
第1の圧力データに基づいて前記ユーザの前記身体の前記一部分の前記トポグラフィに関連付けられる第1のジェスチャを識別し、
前記第1のジェスチャを識別することに続いて、前記デバイスの画像を前記カメラにキャプチャさせ、
前記カメラによってキャプチャされた前記デバイスの前記画像を使用して前記デバイスを識別し、
第2の圧力データに基づいて前記ユーザの前記身体の前記一部分の前記トポグラフィに関連付けられる第2のジェスチャを識別するように構成されている、感圧センサと、
前記識別された第2のジェスチャに基づいて前記デバイスに情報を送信するように構成されている送信機と
を備える、ハンドジェスチャに基づいてデバイスを制御するためのシステム。
【請求項２】
前記ユーザの前記身体の前記一部分は前記ユーザの手の甲であり、
前記感圧センサは、中手骨の位置によって影響を受ける前記手の甲の前記トポグラフィを検出するように構成されている、請求項1に記載のハンドジェスチャに基づいてデバイスを制御するためのシステム。
【請求項３】
前記ユーザの前記身体の前記一部分は前記ユーザの手首であり、
前記感圧センサは、前記手首の少なくとも一部分の前記トポグラフィを検出するように構成されている、請求項1に記載のハンドジェスチャに基づいてデバイスを制御するためのシステム。
【請求項４】
前記ユーザの動きを検出し、前記処理モジュールに運動データを送信するように構成されている運動センサをさらに備える、請求項1に記載のハンドジェスチャに基づいてデバイスを制御するためのシステム。
【請求項５】
前記処理モジュールは、前記運動データを使用して前記第2のジェスチャを識別するようにさらに構成されている、請求項4に記載のハンドジェスチャに基づいてデバイスを制御するためのシステム。
【請求項６】
前記運動センサは、加速度計またはジャイロスコープの少なくとも1つを含む、請求項4に記載のハンドジェスチャに基づいてデバイスを制御するためのシステム。
【請求項７】
前記ユーザの前記身体の前記一部分は前記ユーザの前腕を含む、請求項1に記載のハンドジェスチャに基づいてデバイスを制御するためのシステム。
【請求項８】
筋電センサをさらに備える、請求項1に記載のハンドジェスチャに基づいてデバイスを制御するためのシステム。
【請求項９】
前記デバイスから、ハンドジェスチャを使用して前記デバイスを制御するためのコマンドを示す情報を受信するように構成されている受信機をさらに備える、請求項1に記載のハンドジェスチャに基づいてデバイスを制御するためのシステム。
【請求項１０】
前記システムは、前記ユーザの前記身体の第2の一部分のトポグラフィを検出し、前記処理モジュールに第3の圧力データを提供するように構成されている第2の感圧センサをさらに備え、前記処理モジュールは、前記第3の圧力データを使用して前記第2のジェスチャを識別するようにさらに構成されている、請求項1に記載のハンドジェスチャに基づいてデバイスを制御するためのシステム。
【請求項１１】
前記識別される第2のジェスチャは、握られた拳を含む、請求項1に記載のハンドジェスチャに基づいてデバイスを制御するためのシステム。
【請求項１２】
前記識別される第2のジェスチャは、親指以外の指が親指に触れることを含む、請求項1に記載のハンドジェスチャに基づいてデバイスを制御するためのシステム。
【請求項１３】
前記識別される第2のジェスチャは、手が上、下、左、または右に動くように、手首が曲げられることを含む、請求項1に記載のハンドジェスチャに基づいてデバイスを制御するためのシステム。
【請求項１４】
ジェスチャに基づいてデバイスを制御するための方法であって、前記方法は、
ユーザの身体の一部分のトポグラフィを示す第1の圧力データを収集するステップと、
前記第1の圧力データに基づいて前記ユーザの前記身体の前記一部分の前記トポグラフィに関連付けられる第1のジェスチャを識別するステップと、
前記第1のジェスチャを識別することに続いて、前記デバイスの画像をカメラにキャプチャさせるステップと、
前記画像を使用して前記デバイスを識別するステップと、
前記ユーザの前記身体の前記一部分の前記トポグラフィを示す第2の圧力データを収集するステップと、
前記第2の圧力データに基づいて前記ユーザの前記身体の前記一部分の前記トポグラフィに関連付けられる第2のジェスチャを識別するステップと、
前記識別された第2のジェスチャに基づいて前記デバイスに情報を送信するステップと
を含む、ジェスチャに基づいてデバイスを制御するための方法。
【請求項１５】
前記ユーザの前記身体の前記一部分は前記ユーザの手の甲であり、
前記収集するステップは、中手骨の位置によって影響を受ける前記手の甲の前記トポグラフィを示す圧力データを収集するように構成されている感圧センサを使用して前記圧力データを収集するステップを含む、請求項14に記載のジェスチャに基づいてデバイスを制御するための方法。
【請求項１６】
前記ユーザの前記身体の前記一部分は前記ユーザの手首であり、
前記収集するステップは、前記手首の少なくとも一部分の前記トポグラフィを示す圧力データを収集するように構成されている感圧センサを使用して前記圧力データを収集するステップを含む、請求項14に記載のジェスチャに基づいてデバイスを制御するための方法。
【請求項１７】
前記ユーザの動きを検出するステップをさらに含む、請求項14に記載のジェスチャに基づいてデバイスを制御するための方法。
【請求項１８】
前記第2のジェスチャを識別するステップは、前記検出される動きにさらに基づく、請求項17に記載のジェスチャに基づいてデバイスを制御するための方法。
【請求項１９】
加速度計またはジャイロスコープの少なくとも1つを用いて前記ユーザの前記動きを検出するステップをさらに含む、請求項17に記載のジェスチャに基づいてデバイスを制御するための方法。
【請求項２０】
前記ユーザの前記身体の前記一部分は前記ユーザの前腕を含む、請求項14に記載のジェスチャに基づいてデバイスを制御するための方法。
【請求項２１】
前記第2のジェスチャを識別するステップは、筋電センサからの情報にさらに基づく、請求項14に記載のジェスチャに基づいてデバイスを制御するための方法。
【請求項２２】
前記方法は、前記身体の第2の一部分から第3の圧力データを収集するステップをさらに含み、前記第2のジェスチャを識別するステップは、前記第3の圧力データにさらに基づく、請求項14に記載のジェスチャに基づいてデバイスを制御するための方法。
【請求項２３】
前記識別される第2のジェスチャは、握られた拳を含む、請求項14に記載のジェスチャに基づいてデバイスを制御するための方法。
【請求項２４】
前記識別される第2のジェスチャは、親指以外の指が親指に触れることを含む、請求項14に記載のジェスチャに基づいてデバイスを制御するための方法。
【請求項２５】
前記識別される第2のジェスチャは、手が上、下、左、または右に動くように、手首が曲げられることを含む、請求項14に記載のジェスチャに基づいてデバイスを制御するための方法。
【請求項２６】
ジェスチャに基づいてデバイスを制御するための命令が組み込まれている非一時的コンピュータ可読記録媒体であって、前記命令は、
ユーザの身体の一部分のトポグラフィを示す第1の圧力データを収集し、
前記第1の圧力データに基づいて前記ユーザの前記身体の前記一部分の前記トポグラフィに関連付けられる第1のジェスチャを識別し、
前記第1のジェスチャを識別することに続いて、前記デバイスの画像をカメラにキャプチャさせ、
前記画像を使用して前記デバイスを識別し、
前記ユーザの前記身体の前記一部分の前記トポグラフィを示す第2の圧力データを収集し、
前記第2の圧力データに基づいて前記ユーザの前記身体の前記一部分の前記トポグラフィに関連付けられる第2のジェスチャを識別し、
前記識別された第2のジェスチャに基づいて前記デバイスに情報を送信する
ためのコンピュータ実行可能コードを含む、非一時的コンピュータ可読記録媒体。
【請求項２７】
ジェスチャに基づいてデバイスを制御するためのシステムであって、前記システムは、
ユーザの身体の一部分のトポグラフィを示す第1の圧力データを収集するための手段と、
前記第1の圧力データに基づいて前記ユーザの前記身体の前記一部分の前記トポグラフィに関連付けられる第1のジェスチャを識別するための手段と、
前記第1のジェスチャを識別することに続いて、前記デバイスの画像をカメラにキャプチャするための手段と、
前記画像を使用して前記デバイスを識別するための手段と、
前記ユーザの前記身体の前記一部分の前記トポグラフィを示す第2の圧力データを収集するための手段と、
前記第2の圧力データに基づいて前記ユーザの前記身体の前記一部分の前記トポグラフィに関連付けられる第2のジェスチャを識別するステップと、
前記識別された第2のジェスチャに基づいて前記デバイスに情報を送信するための手段と
を備える、ジェスチャに基づいてデバイスを制御するためのシステム。
【請求項２８】
前記第2のジェスチャを識別するための前記手段は、前記ユーザの手の甲の前記トポグラフィと関連付けられる前記第2のジェスチャを識別するための手段を含む、請求項27に記載のジェスチャに基づいてデバイスを制御するためのシステム。
【請求項２９】
前記第2のジェスチャを識別するための前記手段は、前記ユーザの手首と関連付けられる前記第2のジェスチャを識別するための手段を含む、請求項27に記載のジェスチャに基づいてデバイスを制御するためのシステム。
【請求項３０】
前記ユーザの動きを検出するための手段と、
前記第2のジェスチャの前記識別を、前記検出される動きにさらに基づかせるための手段と
をさらに備える、請求項27に記載のジェスチャに基づいてデバイスを制御するためのシステム。
【請求項３１】
前記第2のジェスチャを識別するための前記手段は、前記ユーザの前腕の前記トポグラフィと関連付けられる前記第2のジェスチャを識別するための手段を含む、請求項27に記載のジェスチャに基づいてデバイスを制御するためのシステム。
【請求項３２】
前記第2のジェスチャの前記識別を、筋電センサからの情報にさらに基づかせる手段を含む、請求項27に記載のジェスチャに基づいてデバイスを制御するためのシステム。
【請求項３３】
前記システムは、前記身体の第2の一部分から第3の圧力データを収集するための手段をさらに備え、前記第2のジェスチャの前記識別は、前記第3の圧力データにさらに基づく、請求項27に記載のジェスチャに基づいてデバイスを制御するためのシステム。
【請求項３４】
前記第2のジェスチャを識別するための前記手段は、握られた拳を識別するための手段を含む、請求項27に記載のジェスチャに基づいてデバイスを制御するためのシステム。
【請求項３５】
前記第2のジェスチャを識別するための前記手段は、親指以外の指が親指に触れていることを識別するための手段を含む、請求項27に記載のジェスチャに基づいてデバイスを制御するためのシステム。
【請求項３６】
前記第2のジェスチャを識別するための前記手段は、前記手が上、下、左、または右に動くように手首が曲げられることを識別するための手段を含む、請求項27に記載のジェスチャに基づいてデバイスを制御するためのシステム。